(57)【要約】【課題】  本発明は、画像形成装置の高画質化と操作性向上を図ると共に、排出オプションや画像読み取り装置の装着時にも操作性のよい画像形成装置を提供することを課題とする。【解決手段】  本発明は、原稿の有無を検知する原稿有無センサーフラグ２１，原稿有無センサー２及び原稿の長さを検知する第１原稿長さ検知センサー２３，２４、第２原告長さ検知センサー２５，２６を有するＡＤＦ３０と、画像情報をデジタル信号化するスキャン部９０とを備えた画像形成装置１０１であって、コントローラ６０は、原稿有無センサーフラグ２１，原稿有無センサー２が検知状態にあり、第１原稿長さ検知センサー２３，２４、第２原告長さ検知センサー２５，２６が非検知状態にあるとき、原稿の搬送動作の制御を実行しないことを特徴とする。【選択図】  図１
2005244798.tif 000002
【特許請求の範囲】
【請求項１】
原稿を載置する原稿トレイに積載された原稿の画像情報を読み取るために画像の読み取り位置へ原稿を送る自動原稿搬送装置であって、
前記原稿トレイにおける原稿の有無を検知する原稿有無検知手段と、
前記原稿のサイズを検知する原稿サイズ検知手段と、
これらの検知手段による検知結果に基づき前記原稿の搬送動作の制御を行う制御手段とを有し、
前記制御手段は、前記原稿有無検知手段が検知状態にあり、前記原稿サイズ検知手段が非検知状態にあるとき、原稿の搬送動作の制御を実行しないことを特徴とする自動原稿搬送装置。
【請求項２】
前記制御手段は、
前記原稿有無検知手段が非検知状態にあり、前記原稿サイズ検知手段が検知状態にあるとき、原稿の搬送動作の制御を実行しないことを特徴とする請求項１に記載の自動原稿搬送装置。
【請求項３】
前記原稿サイズ検知手段は、
第１原稿サイズ検知手段と、
前記第１原稿サイズ検知手段よりも原稿搬送方向の上流側に設けられた第２原稿サイズ検知手段と、を有し、
前記第２原稿サイズ検知手段が検知状態にあり、前記第１原稿サイズ検知手段が非検知状態にある時、前記制御手段は、原稿の搬送動作の制御を実行しないことを特徴とする請求項１または２に記載の自動原稿搬送装置。
【請求項４】
前記原稿有無検知手段と前記第２原稿サイズ検知手段とが検知状態にあり、前記第１原稿サイズ検知手段が非検知状態にある時、前記制御手段は、原稿の搬送動作の制御を実行しないことを特徴とする請求項３に記載の自動原稿搬送装置。
【請求項５】
前記第２原稿サイズ検知手段が検知状態にあり、前記第１原稿サイズ検知手段が非検知状態にあるときに、原稿が正しく設置されていない旨を報知する報知手段を有することを特徴とする請求項３または４に記載の自動原稿搬送装置。
【請求項６】
原稿を載置する原稿トレイに積載された原稿の画像情報を読み取るために画像の読み取り位置へ原稿を送る自動原稿搬送装置であって、
前記原稿トレイにおける原稿の有無を検知する原稿有無検知手段と、
前記原稿のサイズを検知する原稿サイズ検知手段と、
これらの検知手段による検知結果に基づき前記原稿の搬送動作の制御を行う制御手段と、
原稿が正しく設置されていない旨を報知するための報知手段と、を有し、
前記制御手段は、前記原稿有無検知手段が非検知状態にあり前記原稿サイズ検知手段が検知状態にあるとき、原稿の搬送動作の制御を実行せず、原稿が正しく設置されていない旨を前記報知手段が報知するように制御することを特徴とする自動原稿搬送装置。
【請求項７】
前記原稿有無検知手段は前記原稿サイズ検知手段の原稿搬送方向下流側に設けられていることを特徴とする請求項１乃至６の何れかに記載の自動原稿搬送装置。
【請求項８】
画像情報を読み取る原稿を積載する原稿トレイにおける原稿の有無を検知する原稿有無検知手段と、前記原稿のサイズを検知する原稿サイズ検知手段とを有する自動搬送装置を備え、前記自動搬送装置から搬送された原稿の原稿面を露光走査し画像情報をデジタル信
号化する画像読み取り装置であって、
前記原稿有無検知手段及び前記原稿サイズ検知手段による検知結果に基づき前記原稿の搬送動作の制御を行う制御手段を有し、
前記制御手段は、前記原稿有無検知手段が検知状態にあり、前記原稿サイズ検知手段が非検知状態にあるとき、原稿の搬送動作の制御を実行しないことを特徴とする画像読み取り装置。
【請求項９】
画像情報を読み取る原稿を積載する原稿トレイにおける原稿の有無を検知する原稿有無検知手段及び前記原稿のサイズを検知する原稿サイズ検知手段を有する自動搬送装置と、前記自動搬送装置から搬送された原稿の原稿面を露光走査し画像情報をデジタル信号化する画像読み取り装置とを備え、前記画像読み取り装置によりデジタル信号化された原稿の画像情報を基に像担持体上にトナー像を形成し、前記トナー像をシートに転写して前記画像情報を形成する画像形成装置であって、
前記原稿有無検知手段及び前記原稿サイズ検知手段による検知結果に基づき前記原稿の搬送動作の制御を行う制御手段を有し、
前記制御手段は、前記原稿有無検知手段が検知状態にあり、前記原稿サイズ検知手段が非検知状態にあるとき、原稿の搬送動作の制御を実行しないことを特徴とする画像形成装置。
【発明の詳細な説明】
【技術分野】
【０００１】
本発明は、原稿を所定位置に搬送する自動原稿搬送装置と、この自動原稿搬送装置を有する画像読み取り装置と、この画像読み取り装置を有する画像形成装置に関する。
【背景技術】
【０００２】
従来から、デジタル複写機やプリンター、あるいはＦＡＸ等の画像形成装置において、原稿の画像情報を読み取るために原稿台ガラス上の読み取り位置へ自動的に原稿を送るように構成した自動原稿搬送装置（ＡＤＦ：Ａｕｔｏ  Ｄｏｃｕｍｅｎｔ  Ｆｅｅｄｅｒ、以下ＡＤＦと称する）がある（特許文献１参照）。
【０００３】
ＡＤＦは、近年の急速なデジタル化により、デジタル読み取りや、メモリ搭載による高速デジタル複写機の発達、低価格な普及機種へのＡＤＦ搭載、さらにはネットワークを介してパソコンに画像を転送するための画像入力手段に必要な機能の一つとして、高精度且つ高速度のシート搬送性能を求められている。
【０００４】
従来からあるＡＤＦは、原稿台ガラスの上方に設置し停止させた光学系の上で原稿を搬送させて原稿の流し読みを行うＡＤＦモードと、原稿台ガラス上に原稿をセットして光学系を移動させて読み取りを行うブックモードの、２つの読み取りモードを備える。
【０００５】
さらに、ＡＤＦは、原稿トレイ上の原稿の有無を検知する原稿有無検知センサーを有している。そのため、ユーザーが原稿トレイに原稿を設置すると、原稿有無検知センサーは原稿が原稿トレイに設置されたことを検知する。
【０００６】
また、ＡＤＦは、原稿トレイに積載された原稿（シート）の長さを検知する原稿長さ検知センサーを有している。この原稿長さ検知センサーは、第１原稿長さセンサーと、第１原稿長さセンサーと、第２原稿長さセンサーと、第２原稿長さセンサーとで構成されている。第１原稿長さセンサーと第２原稿長さセンサーとは、原稿有無センサーと同様の透過式センサーである。そのため、原稿を原稿トレイ１に設置すると、第１原稿長さセンサーと第２原稿長さセンサーは、原稿（シート）の荷重によって移動し、第１原稿長さセンサーと第２原稿長さセンサーとを各々遮光する。
【０００７】
ここで、第１原稿長さセンサーだけが遮光した状態では、幅規制板によって検知している幅検知機構と連動してＡ４・Ａ５・Ｂ５・ＬＴＲ・ＥＸＥなどの小サイズの原稿と認識する。また、第１原稿長さセンサーと第２原稿長さセンサーとが遮光した状態では、幅検知機構と連動してＡ３・Ｂ４・ＬＧＬ・ＬＤＲなどの大サイズの原稿と認識する。
【０００８】
また、原稿トレイに積載された原稿がなくなると、ＡＤＦに設置された各センサーフラグは原稿検知位置から、図示しない弾性部材によって所定の位置へと戻される。そして、原稿有無センサーが検知ＯＦＦの状態になると、装置は原稿トレイに原稿がないと認識する。
【特許文献１】特開平９‐１８８４２０号公報
【発明の開示】
【発明が解決しようとする課題】
【０００９】
しかし、上記のような従来のＡＤＦの構成では、ユーザーがＡＤＦに原稿を設置する際に誤った設置を行っても、装置が適切なエラーアナウンスをできなかったり、誤って稼動してしまったりする場合があった。
【００１０】
例えば、正規の原稿設置位置よりも上流側に原稿を設置してしまった場合を挙げることができる。これは、ユーザーが原稿トレイに原稿を設置したにもかかわらず原稿有無センサーフラグと原稿有無センサーが原稿を検知できない状態となっている状態が考えられる。そのため、原稿の搬送が許可（ＯＫ）の状態にならなかったり、原稿無しのエラーが表示されたりする。
【００１１】
その他にも、原稿台ガラス上には何も設置されていないにもかかわらず、ブックモードの読み取りを行ってしまうなどの誤動作が起きてしまう場合がある。このとき、ユーザーが原稿の設置ミスにすぐに気が付けばよいが、原稿を原稿トレイに設置しているにもかかわらず、搬送ＯＫの状態にならなかったり、原稿無しのエラーが表示されたりすると、ユーザーは、自らの設置ミスであることに気が付かず装置の故障ではないかと考えてしまう。
【００１２】
さらに、近年、ユーザビリティーの向上がなかなか進まない中、装置の大型化や複雑化、さらには多機能化がどんどん進んでしまい、操作に慣れないユーザーが益々増えている。そのため、上記のように自らの設置ミスに気が付かずに故障だと思いこむユーザーが増えることが懸念される。
【００１３】
それに加えて、原稿トレイに原稿を設置したにもかかわらず、勝手にブックモードで何も設置されていない原稿台ガラス上の原稿の読み取りをはじめてしまうとユーザーは現状を把握することができない。
【００１４】
その他にも、幅規制板に乗り上げて原稿を設置しても装置が稼動してしまうという問題もあった。この現象は、ユーザーが原稿トレイに原稿を設置する際に、幅規制板に原稿を乗り上げさせて設置してしまった場合に起こることが多い。これは原稿の幅規制がなされていない状態にあるにもかかわらず、原稿の先端は正規の位置まで押し込まれているため、原稿有無センサーフラグ，原稿有無センサー（原稿有無検知機構）が原稿の存在を検知してしまうことになる。
【００１５】
すると、原稿が正しく設置されていないにもかかわらず原稿の搬送が許可（ＯＫ）の状態になってしまう。この状態で原稿を搬送すると幅方向の規制が全くなされていないため、原稿が大きく斜行したり、想定外の抵抗を受けてスリップしたり、搬送速度の低下などが起き、それらがひどい場合にはジャムになってしまうという問題があった。
【００１６】
本発明は、従来技術における上述した課題を解決するものであり、画像形成装置の高画質化と操作性向上を図ると共に、シートを円滑に排出でき、さらに画像読み取り装置の装着時にも操作性のよい自動原稿搬送装置、この自動原稿搬送装置を備えた画像読み取り装置、この画像読み取り装置を備えた画像形成装置を提供することを目的とする。
【課題を解決するための手段】
【００１７】
本発明は、原稿を載置する原稿トレイに積載された原稿の画像情報を読み取るために画像の読み取り位置へ原稿を送る自動原稿搬送装置であって、原稿トレイにおける原稿の有無を検知する原稿有無検知手段と、この原稿のサイズを検知する原稿サイズ検知手段と、これらの検知手段による検知結果に基づき原稿の搬送動作の制御を行う制御手段とを有し、制御手段は、原稿有無検知手段が検知状態にあり原稿サイズ検知手段が非検知状態にあるとき、原稿の搬送動作の制御を実行しないことを特徴とする。
【００１８】
また、本発明は、画像情報を読み取る原稿を積載する原稿トレイにおける原稿の有無を検知する原稿有無検知手段と、原稿のサイズを検知する原稿サイズ検知手段とを有する自
動搬送装置を備え、自動搬送装置から搬送された原稿の原稿面を露光走査し画像情報をデジタル信号化する画像読み取り装置であって、原稿有無検知手段及び原稿サイズ検知手段による検知結果に基づき原稿の搬送動作の制御を行う制御手段を有し、制御手段は、原稿有無検知手段が検知状態にあり、原稿サイズ検知手段が非検知状態にあるとき、原稿の搬送動作の制御を実行しないことを特徴とする。
【００１９】
さらに、本発明は、画像情報を読み取る原稿を積載する原稿トレイにおける原稿の有無を検知する原稿有無検知手段及び原稿のサイズを検知する原稿サイズ検知手段を有する自動搬送装置と、自動搬送装置から搬送された原稿の原稿面を露光走査し画像情報をデジタル信号化する画像読み取り装置とを備え、画像読み取り装置によりデジタル信号化された原稿の画像情報を基に像担持体上にトナー像を形成し、トナー像をシートに転写して画像情報を形成する画像形成装置であって、原稿有無検知手段及び原稿サイズ検知手段による検知結果に基づき原稿の搬送動作の制御を行う制御手段を有し、制御手段は、原稿有無検知手段が検知状態にあり、原稿サイズ検知手段が非検知状態にあるとき、原稿の搬送動作の制御を実行しないことを特徴とする。
【発明の効果】
【００２０】
本発明によれば、画像形成装置の高画質化と操作性向上を図ると共に、シートを円滑に排出でき、さらに画像読み取り装置の装着時にも操作性のよい自動原稿搬送装置、この自動原稿搬送装置を備えた画像読み取り装置、この画像読み取り装置を備えた画像形成装置を提供することを可能となる。
【発明を実施するための最良の形態】
【００２１】
以下に図面を参照して、本発明の好適な実施形態を例示的に詳しく説明する。但し、この実施形態に記載されている構成部品の寸法、材質、形状それらの相対配置などは、発明が適用される装置の構成や各種条件により適宜変更されるべきものであり、この発明の範囲を以下の実施形態に限定する趣旨のものではない。
【００２２】
まず、本実施形態に係る画像形成装置について図面を参照し説明する。図１は本実施形態の自動原稿搬送装置３０を備えた画像形成装置１０１の略断面図である。
【００２３】
図１に示すように、画像形成装置１０１は、画像書き込み用のレーザースキャナ１０２と、画像読み取り装置（以下、スキャナ部と称す）９０によって読み取られた画像に対し画像処理を施した後に記録信号に応じてレーザー光が照射される感光体ドラム１０３とを有している。この感光体ドラム１０３にレーザー光を照射することにより潜像が形成される。
【００２４】
また、画像形成装置１０１は、紙或いはフィルム等のシート（記録媒体）を収容するカセット１０４と、シートを感光体ドラム１０３まで搬送するためのピックアップローラ１０５と、搬送ローラ１０６と、分離ローラ１０７とを有している。ここでは、カセット１０４に収容されたシートが、記録信号に応じてピックアップローラ１０５によりピックアップされ、搬送ローラ１０６及び分離ローラ１０７によって一枚ずつ感光体ドラム１０３と対向する位置まで供給される。
【００２５】
さらに、画像形成装置１０１は、図示しないトナー供給装置から供給されたトナーによって形成されたトナー像をシートに転写する転写装置１０８と、シートに転写されたトナー像を定着させる定着装置１１０と、定着装置１１０の下流側に設けられ、トナー像の定着が完了したシートを画像形成装置１０１外部に設置された排出トレイに排出する排出ローラ１０９とを有している。
【００２６】
次に、図１，２に示すように、上述した画像形成装置１０１の上部に載置されたスキャナ部９０について説明する。図２は本実施形態の自動原稿搬送装置１を備えたスキャナ部９０の部分略断面図である。スキャナ部９０の上面には平置きされた原稿を読み取るための原稿台ガラス１５が装着されている。
【００２７】
また、図１に示すように、スキャナ部９０は、図面横方向にガイド軸５２に沿って移動可能に装着され、平置きされた原稿をスキャン可能とする画像読み取りキャリッジ５１を有している。駆動伝達は不図示のモータより駆動ギヤ５３、駆動プーリ５４、５５、駆動ベルト５６を介し、読み取り手段である画像読み取りキャリッジ５１に伝達される。
【００２８】
また、画像読み取りキャリッジ５１には、図２に示すように、原稿を照射するランプ５７と、反射ミラー５８，５９，６０と、レンズ６１と、光電変換素子６２とが搭載される。このランプ５７により照射された原稿画像は、反射ミラー５８，５９，６０を介してレンズ６１を経て光電変換素子６２に導かれる。また、ＡＤＦ（自動原稿搬送装置）により搬送される原稿を読み取る場合は、この画像読み取りキャリッジ５１が所定の読み取り位置Ｑの位置まで移動し停止した状態で読み取りが行なわれる。
【００２９】
続いて、図１に示すように、上述したスキャナ部９０の上部に載置されたＡＤＦ（自動原稿搬送装置）について説明する。図３は本実施形態のＡＤＦ３０の略断面図であり、図４は図３の部分拡大図である。
【００３０】
図３に示すように、ＡＤＦ３０は原稿を載置する原稿トレイ１と、原稿の側部を規制する幅規制板２と、原稿を給送するために原稿に当接する位置（原稿上面３’の位置）まで下降可能なピックアップローラ３と、対向する分離パッド５と常に接触し摩擦分離を行ない原稿を一枚ずつ搬送する分離ローラ４とを有している。
【００３１】
また、ＡＤＦ３０は、分離ローラ４により分離された原稿を第１搬送ローラ６と、搬送コロ７と、搬送をガイドする内ガイド８と、外ガイド９とを有し、さらに、ＡＤＦ本体の下方に向かって湾曲傾斜した読み取り前ローラ１０及び読み取り加圧コロ１１とを有している。原稿は、これらの搬送機構を通過して読み取り位置Ｑまで搬送される。
【００３２】
さらに、読み取り位置Ｑ付近の原稿裏側（読み取り面と反対側）には原稿をガイドする読み取りガイド１２が設けられている。そして、この読み取りガイド１２の対向側には、原稿表側をガイドする手段として透明フィルム部材である透明シートとしてのガイドマイラー１３が装着されている。ガイドマイラー１３は、例えばＰＥＴ材からなる透明なプラスチックフィルムであり、１００μｍ程度の厚みで構成されている。尚、ガイドマイラー１３をボス部により係止している部材をマイラーホルダ１４と称する。つまり、ガイドマイラー１３は、図４に示すように、一端がマイラーホルダ１４のボス部１４ａで係止され、もう一端が原稿台ガラス１５を経て排出ガイド１６に載っている。
【００３３】
また、図４に示すように、読み取りガイド１２は、読み取り位置Ｑと対向する面が原稿台ガラス１５と平行となる平面部１２ａと、その平面部１２ａを基点とし上流に向かって湾曲傾斜している上流側傾斜部１２ｂと、下流に向かって湾曲傾斜している下流側傾斜部１２ｃとによって形成されている。
【００３４】
加えて、読み取りガイド１２は回動支点１２ｄを中心に回動自在に装着され、付勢手段１７により原稿台ガラス１５方向へ付勢されている。
【００３５】
また、搬送方向に直交する方向の平面部１２ａの両端には突起部材として突当突起１２ｅが設けられ、ガイドマイラー１３との微小間隔ｄが一定に保持されている。従って、ガ
イドマイラー１３は読み取り位置Ｑ付近で原稿台ガラス１５と接し、原稿画像はこのガイドマイラー１３と原稿台ガラス１５を通して読み取られる。
【００３６】
そして、読み取り位置Ｑを通過した原稿は、ＡＤＦ３０本体の上方に向かって傾斜した排出ガイド１６の上に装着されたガイドマイラー１３に沿って搬送され、下流側搬送手段としての排出ローラ１８及び排出加圧コロ１９により排出トレイ２０に排出される。
【００３７】
以上述べたように、ＡＤＦ３０は、原稿トレイ１から読み取り位置Ｑを通過して排出トレイ２０に至るまでの搬送路をＵターンパスで構成されている。
【００３８】
また、本実施形態のＡＤＦ３０の原稿トレイ１には２つの検知機構が配されている。一つは原稿有無検知機構（原稿有無検知手段）である。原稿有無検知機構は、図３に示す原稿有無センサーフラグ２１と、原稿有無センサー２２とから形成され、原稿トレイ１に原稿が設置されているか否かを検知する機構である。もう一つは原稿長さ検知機構（原稿サイズ検知手段）である。原稿長さ検知機構は、原稿トレイ１の原稿搬送方向下流側に設けられた第１原稿長さ検知センサー（第１原稿長さ検知手段）２３，２４と、原稿トレイ１の原稿搬送方向上流側に設けられた第２原稿長さ検知センサー（第２原稿長さ検知手段）２５，２６とで構成されている。
【００３９】
また、ＡＤＦ３０は、幅規制板２の係止位置から設置原稿の幅寸法を検知する幅検知センサー（幅検知機構）も有している（不図示）。この幅検知センサーと第１原稿長さ検知センサー２３，２４とが連動してＡ４・Ａ５・Ｂ５・ＬＴＲなどの所定の定形シートを検知する。
【００４０】
さらに、第１原稿長さ検知センサー２３，２４と同時に第２原稿長さ検知センサー２５，２６が検知状態になると、先程のメディアをストレッチさせたＡ３・Ｂ４・ＬＤＲ・ＬＧＬなどの大サイズの原稿であると検知する。また、第１原稿長さ検知センサー２３、２４が検知状態であり、第２原稿長さ検知センサー２５、２６が非検知状態であった場合には、所定のサイズよりも小さいサイズの原稿が設置されたことを検知する。なお、ここで検知センサー２３、２４、２５，２６の検知状態とは、検知センサーが設けられている箇所に原稿が存在していることを検知している状態をさし、非検知状態とは検知センサーが設けられている箇所に原稿が存在していないことを検知している状態をさす。
【００４１】
ここで、原稿の検知手段である原稿有無センサーフラグ２１、原稿有無センサー２２、原稿長さ検知センサー２３，２４，２５，２６（図４参照）について、図５、図６を用いて詳細に説明する。図５は検知ＯＦＦ（透過）状態の概略図で、図６は検知ＯＮ（遮光）状態の概略図である。尚、原稿有無センサーフラグ２１、原稿有無センサー２２、原稿長さ検知センサー２３，２４，２５，２６は同じ構成を配するので、原稿有無センサーフラグ２１と原稿有無センサー２２を例に挙げて説明をする。
【００４２】
原稿有無センサーフラグ２１（以下、センサーフラグ２１と略して称す）は、回動支持軸２１ａに両端を回動可能に支持されている。このセンサーフラグ２１は、ねじりコイルバネであるセンサーフラグ付勢バネ２７により付勢されている。
【００４３】
このセンサー付勢バネ２７は、コイル部２７ａと、このコイル部２７ａのバネ足の一端２７ｂがストッパー２８に受けられており、他端２７ｃが引っ掛け部２１ｂに引っ掛けられることにより時計回り方向（図５中矢印Ｘ方向）にセンサーフラグ２１を付勢している。
【００４４】
また、図１に示す原稿トレイ１には、図５及び図６に示すセンサーフラグ２１の稼動エ
リアであるスリット１ａが設けられており、スリット１ａの端部１ｂはセンサーフラグ２１の回転止めを担っている。そのため、原稿トレイ１に原稿を設置すると、図６に示すように、原稿の自重によってセンサーフラグ付勢バネ２７の抗力に反して、センサーフラグ２１は反時計回り方向（図６中、矢印Ｙ方向）に回動する。センサーフラグ２１が反時計回りに回動すると、扇形状に形成された遮光部２１ｃが透過式センサーである原稿有無センサー２２（以下、センサー２２と略して称する）へと導かれる。
【００４５】
また、センサー２２は、発光側２２ａから発光されたＬＥＤ光を受光側２２ｂで受光しており、受光時は原稿トレイ１に原稿が無いことを検知し、遮光時は原稿トレイ１に原稿が有ることを検知する。検知信号はコネクター２２ｃを通じてＡＤＦ３０の作動制御を行う画像形成装置１０１に設けられたコントローラ（制御手段）６０（図１参照）へと伝達される。尚、本実施形態ではコントローラ６０は画像形成装置１０１に設けられているとして説明するが、コントローラ６０は、スキャナ部９０、ＡＤＦ３０の何れに設けられていても良い。なお、センサー２２が受光時には原稿がないことを検知し、遮光時に原稿が有ることを検知する構成を例示したが、センサーが受光時には原稿が有ることを検知し、遮光時に原稿がないことを検知するように構成することもできる。
【００４６】
ここで、ユーザーが正しい位置に原稿を設置した場合の原稿の搬送過程について説明する。図７は原稿トレイ１に正しく原稿を設置した姿を表す略断面図である。図７に示すように、原稿トレイ１に原稿を設置すると、原稿の先端部２９ａが原稿有無センサーフラグ２１を下方に回動させて原稿有無センサー２２が原稿の存在を検知する。
【００４７】
また、原稿の中間部２９ｂや原稿サイズによっては原稿の後端部２９ｃも、同様に第１原稿長さセンサー２３や第２原稿長さセンサー２５を下方に回動させる。ここで原稿のサイズが検知されると、ユーザーによる原稿搬送スタートのアクションによって、原稿は画像読み取り装置へと搬送される。
【００４８】
次に、ユーザーが誤った位置に原稿を設置した場合の原稿の搬送過程について説明する。
【００４９】
＜第１の態様＞
図８はユーザーが原稿を設置ミスした態様の例を表す略断面図である。図８に示すように、ユーザーが設置した原稿は、所定の設置位置に対して原稿トレイ１の、原稿搬送方向の上流側にずれて設置されている。ここでは、原稿先端部２９ａがセンサー２２に到達していない為、ＡＤＦ３０は原稿トレイ１に原稿が設置されていると検知できない状態にある。
【００５０】
しかし、第１原稿長さ検知センサー２３，２４、第２原稿長さ検知センサー２５，２６には検知されているので、設置された原稿のサイズを検知することは可能な状態である。従来であれば、センサー２２で原稿は無いと検知されると、原稿長さ検知機構で原稿のサイズを検知できていたとしても、原稿無しのエラーを発して原稿搬送をスタートさせることを認めなかった。
【００５１】
ところが、本実施形態のＡＤＦ３０のコントローラ６０は、第１原稿長さ検知センサー２３，２４、第２原稿長さ検知センサー２５，２６から原稿サイズの信号を受け取り、原稿有無センサー２２から原稿無しの信号を受け取ると原稿トレイ１に正しく原稿が設置されていないと認識する。この状態でユーザーが原稿搬送スタートのアクションを起こすと、ＡＤＦ３０のコントローラ６０が報知手段であるオペレーションパネルＰ（図１参照）に原稿が正しく設置されていない旨を表示する。ここでは報知手段としてオペレーションパネルＰを例示し、オペレーションパネルＰが原稿設置ミスを表示する例を示したが、Ａ
ＤＦ３０と接続されているパーソナルコンピュータ（ＰＣ）のディスプレーに表示しても、音声によってアナウンスする構成であってもよい。また、このような形態の設置ミスである場合、原稿が正しく設置されていない旨の表示として、ピックアップローラ３の方に原稿を送り込むことをユーザーに促すような表示であってもよい。
【００５２】
＜第２の態様＞
図９はユーザーが原稿を設置ミスした第２の例を示す略断面図である。図９に示すように、幅規制板２には原稿トレイ１への積載量の上限を決定する積載規制部２ａが備えられている。これはユーザーが製品仕様を上回る総厚の原稿束を原稿トレイ１に設置することを防止する為のものである。
【００５３】
ユーザーが原稿を設置する際に誤って積載規制部２ａに原稿を引っ掛けてしまうと原稿が積載規制部２ａの上に乗り上げた状態となる場合がある。原稿先端部２９ａは、所定の位置まで押し込まれているのでセンサー２２により原稿有りを検知され、原稿後端部２９ｃは第２原稿長さ検知センサー２５，２６に検知される。
【００５４】
しかし、原稿中間部２９ｂが積載規制部２ａに乗り上げた状態である場合、第１原稿長さ検知センサー２３，２４は非検知の状態となっている。また、小サイズの原稿の場合は原稿後端部２９ｃが第２原稿長さ検知センサー２５，２６には届かず、第１原稿長さ検知センサー２３，２４も非検知状態となっている。
【００５５】
このように、第１原稿長さセンサー２４が非検知状態にあること、原稿のサイズによるが第２原稿長さセンサー２６が検知状態になっていることにより、コントローラ６０は原稿トレイ１に正しく原稿が設置されていないと認識する。
【００５６】
そのため、この状態でユーザーが原稿搬送スタートのアクションを起こすと、コントローラ６０は、オペレーションパネルＰが原稿が正しく設置されていない旨の表示を行なうように制御を実行する。また、このような形態の設置ミスである場合、原稿が正しく設置されていない旨の表示として、幅規制板２に乗り上げていることを伝えるような表示であってもよい。
【００５７】
以上のように、本実施形態のＡＤＦ３０によれば、ブックモードでの読み取りを回避することができる。これによって、ユーザーが自分の操作ミスに気が付かず機械の故障と思い込んでしまうことを防止し、次にいかなるアクションを起こせばよいか分かるようになる。これに伴い、クレームの電話をかける必要もなくなり、製品に対する不満やストレスからも解放される。
【００５８】
また、本実施形態のＡＤＦ３０によれば、ユーザーがＡＤＦに原稿を設置する際に設置ミスを犯しても、「原稿無し」のエラーを単純にオペレーションパネルやＰＣのディスプレーなどに表示する制御や、「原稿無し」の表示の他に「原稿の設置エラー」と音声アナウンスを出力する制御や、正規の位置に原稿を設置する方法をアナウンスする制御等を実行することができる。そのため、ユーザーは、原稿の正しい設置位置や正しい設置方法をその場で認識することができるため、ユーザーの操作性を向上させることができる。
【００５９】
また、本実施形態のＡＤＦ３０は、従来の構成に備えられているものだけを利用して新しい制御を行うので、コストアップや製品サイズへの影響は一切なく、部品の追加、削除、形状変更などを行わないので製造面における弊害の誘発を極力防止することができる。
【図面の簡単な説明】
【００６０】
【図１】本実施形態の自動原稿搬送装置を備えた画像形成装置の略断面図である。
【図２】本実施形態の自動原稿搬送装置を備えた画像読み取り装置の部分断面図である。
【図３】本実施形態の自動原稿搬送装置の略断面図である。
【図４】図３の要部拡大図である。
【図５】本実施形態における検知ＯＦＦ（透過）状態を示す概略図である。
【図６】本実施形態における検知ＯＮ（遮光）状態を示す概略図である。
【図７】本実施形態における原稿トレイに正しく原稿を載置した状態を示す図である。
【図８】本実施形態における原稿トレイの誤った位置に原稿を載置した状態（第１の態様）を示す図である。
【図９】本実施形態における原稿トレイの誤った位置に原稿を載置した状態（第２の態様）を示す図である。
【符号の説明】
【００６１】
１  原稿トレイ
２１  原稿有無センサーフラグ（原稿有無検知手段）
２２  原稿有無センサー（原稿有無検知手段）
２３，２４  第１原稿長さ検知センサー（原稿サイズ検知手段）
２５，２６  第２原稿長さ検知センサー（原稿サイズ検知手段）
３０  自動原稿搬送装置
６０  コントローラ（制御手段）
【図１】
2005244798.tif 000003
【図２】
2005244798.tif 000004
【図３】
2005244798.tif 000005
【図４】
2005244798.tif 000006
【図５】
2005244798.tif 000007
【図６】
2005244798.tif 000008
【図７】
2005244798.tif 000009
【図８】
2005244798.tif 000010
【図９】
2005244798.tif 000011